(57)【要約】【課題】どの箇所が断線した場合でも通電経路を確保し、エミッタを点灯することができるエミッタおよびそれを備えるＸ線管装置を提供することを目的とする。【解決手段】通電経路を有する電子出射面Ｐと、電子出射面Ｐの両端に電気的に接続されている通電加熱脚２１，２２と、電子出射面Ｐの通電経路の途中で分岐する２つの分岐端子を、通電加熱脚２１，２２間に通電加熱脚２１に近い順に、支え脚２３，支え脚２４として備え、通電加熱脚２１と支え脚２４とを、短絡状態または開放状態に切り替えるリレー３３Ａと、通電加熱脚２２と支え脚２３とを、短絡状態または開放状態に切り替えるリレー３３Ｂとを備えている。短絡状態に切り替えられた箇所においてバイパス通電経路が形成され、通電加熱脚２１，２２間の通電経路において、全ての箇所において当該バイパス通電経路が必ず存在する。【選択図】図６
2017168215.tif 000002
【特許請求の範囲】
【請求項１】
通電経路を有する電子出射面と、
前記電子出射面の両端に電気的に接続されている第１通電加熱脚および第２通電加熱脚と、
前記電子出射面の前記通電経路の途中で分岐する２つの分岐端子を、前記第１通電加熱脚と前記第２通電加熱脚との間に、前記第１通電加熱脚に近い順に、第１分岐端子，第２分岐端子として備え、
前記第１通電加熱脚と前記第２分岐端子とを、短絡状態または開放状態に切り替える第１切替部と、
前記第２通電加熱脚と前記第１分岐端子とを、短絡状態または開放状態に切り替える第２切替部とを備える、エミッタ。
【請求項２】
通電経路を有する電子出射面と、
前記電子出射面の両端に電気的に接続されている第１通電加熱脚および第２通電加熱脚と、
ｎを３以上の整数として、前記電子出射面の前記通電経路の途中で分岐するｎ個の分岐端子を、前記第１通電加熱脚と前記第２通電加熱脚との間に、前記第１通電加熱脚に近い順に、第１分岐端子，第２分岐端子，第３分岐端子，…第（ｎ−２）分岐端子，第（ｎ−１）分岐端子，第ｎ分岐端子として備え、
前記第１通電加熱脚と前記第２分岐端子とを、短絡状態または開放状態に切り替える第１切替部，前記第１分岐端子と前記第３分岐端子とを、短絡状態または開放状態に切り替える第２切替部，…，前記第（ｎ−２）分岐端子と前記第ｎ分岐端子とを、短絡状態または開放状態に切り替える第（ｎ−１）切替部，前記第（ｎ−１）分岐端子と前記第２通電加熱脚とを、短絡状態または開放状態に切り替える第ｎ切替部を備える、エミッタ。
【請求項３】
請求項１に記載のエミッタを備えるＸ線管装置であって、
前記第１切替部および前記第２切替部の開放または短絡を制御する切替制御部を備え、
前記切替制御部は、
前記電子出射面における前記通電経路が断線していないとき、前記第１切替部および前記第２切替部を開放状態に制御し、
前記電子出射面における前記通電経路のいずれかの箇所が断線しているとき、前記第１切替部を短絡状態かつ前記第２切替部を開放状態に制御して、前記通電経路のうちの前記第２分岐端子と前記第２通電加熱脚とを結ぶ経路のみを通電経路として使用する、あるいは、前記第１切替部を開放状態かつ前記第２切替部を短絡状態に制御して、前記通電経路のうちの前記第１分岐端子と前記第１通電加熱脚とを結ぶ経路のみを通電経路として使用する、Ｘ線管装置。
【請求項４】
請求項２に記載のエミッタを備えるＸ線管装置であって、
前記第１切替部，前記第２切替部，前記第３切替部，…前記第（ｎ−２）切替部，前記第（ｎ−１）切替部および前記第ｎ切替部の開放または短絡を制御する切替制御部を備え、
前記切替制御部は、
前記電子出射面における前記通電経路が断線していないとき、前記第１切替部，前記第２切替部，前記第３切替部，…前記第（ｎ−２）切替部，前記第（ｎ−１）切替部および前記第ｎ切替部を開放状態に制御し、
前記電子出射面における前記通電経路のいずれかの箇所が単数または複数にわたって断線しているとき、断線した箇所に最も近い前記第１通電加熱脚，前記第２通電加熱脚または前記分岐端子につながっている切替部を短絡状態かつ残りの切替部を開放状態に制御して、前記通電経路のうちの前記残りの切替部につながっている前記第１通電加熱脚，前記第２通電加熱脚または前記分岐端子を結ぶ経路のみを通電経路として使用する、Ｘ線管装置。
【発明の詳細な説明】
【技術分野】
【０００１】
この発明は、通電するための通電経路を有したエミッタおよびそれを備えるＸ線管装置に係り、特に、エミッタが断線した時の対処の技術に関する。
【背景技術】
【０００２】
エミッタとして、Ｘ線管等の電子源に用いられるＸ線管用平板エミッタを例に採って説明する。エミッタについて、変形しやすい箇所に通電加熱に寄与しない支え脚を付けたエミッタ（以下、「支え脚付きエミッタ」とする）が、本出願人から提案されている（例えば、特許文献１参照）。従来の一般的な平板エミッタ（以下、「シングルエミッタ」とする）は、図１４に示すように電子出射面（以下、単に「出射面」とする）１００に接続されている脚は通電加熱用の２本である（以下、通電加熱用の脚を「通電加熱脚」とする）。つまり、１対の通電加熱脚を有したエミッタがシングルエミッタとなる。
【０００３】
それに対して、支え脚付きエミッタは、図１５または図１６に示すように、通電加熱脚２本（符号１０１，１０２を参照）と複数本の支え脚１１１，１１２，…が出射面１００に接続されている。以下、図１５に示すように２本の支え脚１１１，１１２を有したエミッタを「ダブルエミッタ」とし、図１６に示すように４本の支え脚１１１〜１１４を有したエミッタを「トリプルエミッタ」とする。つまり、通電加熱脚および支え脚からなる２対の脚を有したエミッタがダブルエミッタとなり、通電加熱脚および支え脚からなる３対の脚を有したエミッタがトリプルエミッタとなる。このような支え脚を付けることで、サグ(Sag)（重力によるクリープ(Creep)）や回転の遠心力等による出射面の変形が著しく改善される。なお、支え脚の本数が増えるほど変形し難くなる。
【０００４】
ここで、図１４〜図１６中の符号Ｆは正面であり、符号Ｕは上面であり、符号Ｓは側面である。図１４（ａ）はシングルエミッタの概略斜視図であり、図１４（ｂ）は、図１４（ａ）の上面Ｕから見た概略平面図であり、図１４（ｃ）は、図１４（ａ）の正面Ｆから見た概略正面図であり、図１４（ｄ）は、図１４（ａ）の側面Ｓから見た概略側面図である。図１５（ａ）はダブルエミッタの概略斜視図であり、図１５（ｂ）は、図１５（ａ）の上面Ｕから見た概略平面図であり、図１５（ｃ）は、図１５（ａ）の正面Ｆから見た概略正面図であり、図１５（ｄ）は、図１５（ａ）の側面Ｓから見た概略側面図である。図１６（ａ）はトリプルエミッタの概略斜視図であり、図１６（ｂ）は、図１６（ａ）の上面Ｕから見た概略平面図であり、図１６（ｃ）は、図１６（ａ）の正面Ｆから見た概略正面図であり、図１６（ｄ）は、図１６（ａ）の側面Ｓから見た概略側面図である。
【０００５】
また、支え脚付きエミッタについて、エミッタが断線した場合に、断線箇所に近い通電経路を外部でリレーを用いて短絡するように構成し、断線箇所以外の通電経路にて通電加熱可能なエミッタが、本出願人から提案されている（例えば、特許文献２参照）。図１７に、上記構成のダブルエミッタの概略図を示す。通電加熱脚は、符号１２１，１２２であり、中央部で断線が発生した場合、リレー１３３を用いて支え脚１２３，１２４を短絡することで、通電加熱脚１２１→支え脚１２３→リレー１３３→支え脚１２４→通電加熱脚１２２の経路で通電加熱が可能である。よって、エミッタの外周部のみ（図１７の斜線部を参照）を点灯することができる。
【先行技術文献】
【特許文献】
【０００６】
【特許文献１】国際公開第ＷＯ２０１４−０４１６３９号
【特許文献２】特開２０１５−１１５１３９号公報
【発明の概要】
【発明が解決しようとする課題】
【０００７】
しかしながら、図１７のような構成を有する従来例の場合には、次のような問題がある。
すなわち、図１７のような電源を１つのみ有する支え脚付きエミッタについて、エミッタが断線した場合に、断線箇所に近い通電経路を外部でリレーを用いて短絡するように構成すれば、上述したように断線箇所以外の通電経路にて通電加熱が可能だが、特定箇所以外が断線した場合には通電加熱ができないという問題がある。
【０００８】
図１８および図１９に、ダブルエミッタの場合における断線の例を示す。中心部が断線した場合には、リレー１３３を用いることで通電経路（図１８の太線を参照）を確保し、エミッタの周辺部を通電加熱することができる。しかし、外周部が断線した場合には、リレー１３３を用いても通電経路（図１９の太線を参照）を確保することができず、エミッタを通電加熱することができない。
【０００９】
そこで、特許文献２では、図２０に示すように２箇所にリレー１３３Ａ，１３３Ｂを配し、中心部以外の外周部が断線した場合に通電経路を確保する構成がある（特許文献２の請求項３、図８および段落番号「００３９」を参照）。しかし、図２０のような構成では、図１８や図１９とは逆に中心部が断線した場合には、図２１の太線に示すように通電経路を形成することができない。
【００１０】
つまり、電源を１つのみ有する支え脚付きエミッタについて、特許文献２に記載されている各々の構成では、特定箇所以外が断線した場合に通電加熱することができないという問題がある。エミッタのどの箇所が断線するのかは、使用条件（例えば通電加熱時の電流や時間）によって異なる可能性があるが、臨床中などで断線を想定した場合、エミッタのどの箇所が断線した場合でも通電経路を確保し、部分的にエミッタを点灯可能にすることが重要である。また、断線時の出射面上の通電経路はできる限り長く確保することが望ましい。通電経路を長く確保することによって点灯可能なエミッタ面積が広くなる。
【００１１】
この発明は、このような事情に鑑みてなされたものであって、どの箇所が断線した場合でも通電経路を確保し、エミッタを点灯することができるエミッタおよびそれを備えるＸ線管装置を提供することを目的とする。
【課題を解決するための手段】
【００１２】
この発明は、このような目的を達成するために、次のような構成をとる。
すなわち、前者の発明に係るエミッタは、通電経路を有する電子出射面と、前記電子出射面の両端に電気的に接続されている第１通電加熱脚および第２通電加熱脚と、前記電子出射面の前記通電経路の途中で分岐する２つの分岐端子を、前記第１通電加熱脚と前記第２通電加熱脚との間に、前記第１通電加熱脚に近い順に、第１分岐端子，第２分岐端子として備え、前記第１通電加熱脚と前記第２分岐端子とを、短絡状態または開放状態に切り替える第１切替部と、前記第２通電加熱脚と前記第１分岐端子とを、短絡状態または開放状態に切り替える第２切替部とを備えるものである。
また、前者の発明とは別の後者の発明に係るエミッタは、通電経路を有する電子出射面と、前記電子出射面の両端に電気的に接続されている第１通電加熱脚および第２通電加熱脚と、ｎを３以上の整数として、前記電子出射面の前記通電経路の途中で分岐するｎ個の分岐端子を、前記第１通電加熱脚と前記第２通電加熱脚との間に、前記第１通電加熱脚に近い順に、第１分岐端子，第２分岐端子，第３分岐端子，…第（ｎ−２）分岐端子，第（ｎ−１）分岐端子，第ｎ分岐端子として備え、前記第１通電加熱脚と前記第２分岐端子とを、短絡状態または開放状態に切り替える第１切替部，前記第１分岐端子と前記第３分岐端子とを、短絡状態または開放状態に切り替える第２切替部，…，前記第（ｎ−２）分岐端子と前記第ｎ分岐端子とを、短絡状態または開放状態に切り替える第（ｎ−１）切替部，前記第（ｎ−１）分岐端子と前記第２通電加熱脚とを、短絡状態または開放状態に切り替える第ｎ切替部を備えるものである。
【００１３】
［作用・効果］前者の発明に係るエミッタによれば、通電経路を有する電子出射面と、電子出射面の両端に電気的に接続されている第１通電加熱脚および第２通電加熱脚と、電子出射面の通電経路の途中で分岐する２つの分岐端子を、第１通電加熱脚と第２通電加熱脚との間に、第１通電加熱脚に近い順に、第１分岐端子，第２分岐端子として備えている。さらに、第１通電加熱脚と第２分岐端子とを、短絡状態または開放状態に切り替える第１切替部と、第２通電加熱脚と第１分岐端子とを、短絡状態または開放状態に切り替える第２切替部とを備えている。これら第１切替部および第２切替部を備えることで、短絡状態に切り替えられた箇所においてバイパス通電経路が形成され、第１通電加熱脚と第２通電加熱脚との間の通電経路において、全ての箇所において当該バイパス通電経路が必ず存在することになる。このように第１通電加熱脚と第２通電加熱脚との間の通電経路において、短絡状態に切り替えられて形成されたバイパス通電経路が全ての箇所において必ず存在するので、どの箇所が断線した場合でも通電経路を確保し、エミッタを点灯することができる。
［作用・効果］後者の発明に係るエミッタによれば、通電経路を有する電子出射面と、電子出射面の両端に電気的に接続されている第１通電加熱脚および第２通電加熱脚とを備えている。そして、ｎを３以上の整数として、電子出射面の通電経路の途中で分岐するｎ個の分岐端子を、第１通電加熱脚と第２通電加熱脚との間に、第１通電加熱脚に近い順に、第１分岐端子，第２分岐端子，第３分岐端子，…第（ｎ−２）分岐端子，第（ｎ−１）分岐端子，第ｎ分岐端子として備えている。さらに、第１通電加熱脚と第２分岐端子とを、短絡状態または開放状態に切り替える第１切替部，第１分岐端子と第３分岐端子とを、短絡状態または開放状態に切り替える第２切替部，…，第（ｎ−２）分岐端子と第ｎ分岐端子とを、短絡状態または開放状態に切り替える第（ｎ−１）切替部，第（ｎ−１）分岐端子と第２通電加熱脚とを、短絡状態または開放状態に切り替える第ｎ切替部を備えている。これら第１切替部，第２切替部，…，第（ｎ−１）切替部，第ｎ切替部を備えることで、短絡状態に切り替えられた箇所においてバイパス通電経路が形成され、第１通電加熱脚と第２通電加熱脚との間の通電経路において、全ての箇所において当該バイパス通電経路が必ず存在することになる。このように第１通電加熱脚と第２通電加熱脚との間の通電経路において、短絡状態に切り替えられて形成されたバイパス通電経路が全ての箇所において必ず存在するので、どの箇所が断線した場合でも通電経路を確保し、エミッタを点灯することができる。
【発明の効果】
【００１４】
前者の発明に係るエミッタおよびそれを備えるＸ線管装置によれば、通電経路を有する電子出射面と、電子出射面の両端に電気的に接続されている第１通電加熱脚および第２通電加熱脚と、電子出射面の通電経路の途中で分岐する２つの分岐端子を、第１通電加熱脚と第２通電加熱脚との間に、第１通電加熱脚に近い順に、第１分岐端子，第２分岐端子として備えている。さらに、第１通電加熱脚と第２分岐端子とを、短絡状態または開放状態に切り替える第１切替部と、第２通電加熱脚と第１分岐端子とを、短絡状態または開放状態に切り替える第２切替部とを備えている。これら第１切替部および第２切替部を備えることで、短絡状態に切り替えられた箇所においてバイパス通電経路が形成され、第１通電加熱脚と第２通電加熱脚との間の通電経路において、全ての箇所において当該バイパス通電経路が必ず存在するので、どの箇所が断線した場合でも通電経路を確保し、エミッタを点灯することができる。
後者の発明に係るエミッタによれば、通電経路を有する電子出射面と、電子出射面の両端に電気的に接続されている第１通電加熱脚および第２通電加熱脚とを備えている。そして、ｎを３以上の整数として、電子出射面の通電経路の途中で分岐するｎ個の分岐端子を、第１通電加熱脚と第２通電加熱脚との間に、第１通電加熱脚に近い順に、第１分岐端子，第２分岐端子，第３分岐端子，…第（ｎ−２）分岐端子，第（ｎ−１）分岐端子，第ｎ分岐端子として備えている。さらに、第１通電加熱脚と第２分岐端子とを、短絡状態または開放状態に切り替える第１切替部，第１分岐端子と第３分岐端子とを、短絡状態または開放状態に切り替える第２切替部，…，第（ｎ−２）分岐端子と第ｎ分岐端子とを、短絡状態または開放状態に切り替える第（ｎ−１）切替部，（ｎ−１）分岐端子と第２通電加熱脚とを、短絡状態または開放状態に切り替える第ｎ切替部を備えている。これら第１切替部，第２切替部，…，第（ｎ−１）切替部，第ｎ切替部を備えることで、短絡状態に切り替えられた箇所においてバイパス通電経路が形成され、第１通電加熱脚と第２通電加熱脚との間の通電経路において、全ての箇所において当該バイパス通電経路が必ず存在するので、どの箇所が断線した場合でも通電経路を確保し、エミッタを点灯することができる。
【図面の簡単な説明】
【００１５】
【図１】各実施例に係るＸ線装置のブロック図である。
【図２】各実施例に係るＸ線管装置の概略図である。
【図３】実施例１に係るＸ線管用平板エミッタ（ダブルエミッタ）の概略平面図および周辺の回路図である。
【図４】実施例１に係るＸ線管用平板エミッタ（ダブルエミッタ）の通電経路およびバイパス通電経路を概略化した説明図である。
【図５】図４の比較で用いられる特許文献２の図８の通電経路を概略化した説明図である。
【図６】（ａ）〜（ｃ）は、実施例１に係るＸ線管用平板エミッタ（ダブルエミッタ）の断線時における通電経路の概略図である。
【図７】（ａ）〜（ｃ）は、実施例２に係るＸ線管用平板エミッタ（トリプルエミッタ）の断線時における通電経路の概略図である。
【図８】実施例２に係るＸ線管用平板エミッタ（トリプルエミッタ）の通電経路およびバイパス通電経路を概略化した説明図である。
【図９】（ａ）〜（ｃ）は、実施例３に係るＸ線管用平板エミッタ（トリプルエミッタ）の断線時における通電経路の概略図である。
【図１０】実施例３に係るＸ線管用平板エミッタ（トリプルエミッタ）の通電経路およびバイパス通電経路を概略化した説明図である。
【図１１】変形例に係るＸ線管用平板エミッタ（ダブルエミッタ）の概略平面図および周辺の回路図である。
【図１２】さらなる変形例に係る半灯通電加熱脚を兼用した構成のＸ線管用平板エミッタ（ダブルエミッタ）の概略平面図および周辺の回路図である。
【図１３】（ａ）、（ｂ）は、さらなる変形例に係る分岐端子として支え脚を３対以上備えたエミッタの通電経路およびバイパス通電経路の各々の一例を概略化した説明図である。
【図１４】（ａ）〜（ｄ）は、シングルエミッタの概略図である。
【図１５】（ａ）〜（ｄ）は、ダブルエミッタの概略図である。
【図１６】（ａ）〜（ｄ）は、トリプルエミッタの概略図である。
【図１７】断線箇所に近い通電経路をリレーにて短絡するように構成したダブルエミッタの概略図である。
【図１８】図１７の構成において中心部が断線した場合のダブルエミッタの通電経路である。
【図１９】図１７の構成において外周部が断線した場合のダブルエミッタの通電経路である。
【図２０】特許文献２の図８の構成において外周部が断線した場合のダブルエミッタの通電経路である。
【図２１】特許文献２の図８の構成において中心部が断線した場合のダブルエミッタの通電経路である。
【実施例１】
【００１６】
以下、図面を参照してこの発明の実施例１を説明する。
図１は、各実施例に係るＸ線装置のブロック図であり、図２は、各実施例に係るＸ線管装置の概略図であり、図３は、実施例１に係るＸ線管用平板エミッタ（ダブルエミッタ）の概略平面図および周辺の回路図であり、図４は、実施例１に係るＸ線管用平板エミッタ（ダブルエミッタ）の通電経路およびバイパス通電経路を概略化した説明図であり、図５は、図４の比較で用いられる特許文献２の図８の通電経路を概略化した説明図であり、図６（ａ）〜図６（ｃ）は、実施例１に係るＸ線管用平板エミッタ（ダブルエミッタ）の断線時における通電経路の概略図である。後述する実施例２，３も含めて、本実施例１ではエミッタとして、Ｘ線管の電子源に用いられるＸ線管用平板エミッタを例に採って説明するとともに、Ｘ線管用平板エミッタとして、各々の支え脚が通電加熱用の分岐端子を兼用した支え脚付きエミッタを例に採って説明する。
【００１７】
Ｘ線装置は、図１に示すように、Ｘ線を照射するＸ線管装置１と、Ｘ線管装置１を制御する周辺回路３とを備えている。その他にも、Ｘ線管装置１から照射されて被検体（図示省略）を透過したＸ線を検出するフラットパネル型Ｘ線検出器（ＦＰＤ）（図示省略）や、ＦＰＤで検出されたＸ線に基づく画像処理を行ってＸ線画像を取得する画像処理部（図示省略）などの構成を備えている。これらの構成については、特徴部分あるいは特徴部分に関連した構成でないので、その説明については省略する。周辺回路３は、後述するリレー３３Ａ，３３Ｂ（図１では図示省略）の開放または短絡を制御し、この発明の切替制御部に相当する。
【００１８】
Ｘ線管装置１は、図２に示すように、外囲器１０および外囲器１０に収容される陰極１１や陽極１２で構成されている。また、主として陰極１１はＸ線管用平板エミッタ２０および収束電極２５で構成されている。本実施例１に係るＸ線管用平板エミッタ（ダブルエミッタ）の具体的な構成については、図３、図４および図６で後述する。なお、Ｘ線管装置１については、図２に示すような電子線Ｂの光軸に対して直交方向からＸ線を取り出すタイプに限定されず、電子線Ｂの光軸に沿って平行にＸ線を取り出すタイプであってもよい。
【００１９】
Ｘ線管装置１の周辺において、Ｘ線管装置１を制御する周辺回路３は、図３に示すように、交流電源３１（図６も参照）と変圧器（トランス）３２（図６も参照）とを備えている。さらに、Ｘ線管用平板エミッタ２０（本実施例１ではダブルエミッタ）のどこの箇所が断線した場合でも、端部端子である通電加熱脚と分岐端子である支え脚とを短絡状態または開放状態に切り替えるリレー３３Ａ，３３Ｂや、バイアス電源（図示省略）を備えている。変圧器３２の一次側電流を調整してＸ線管用平板エミッタ２０に通電する二次電流を調整する。リレー３３Ａは、この発明における第１切替部に相当し、リレー３３Ｂは、この発明における第２切替部に相当する。
【００２０】
Ｘ線管用平板エミッタ２０は、図３や図６に示すように円形の形状を有しており、円形の電子出射面Ｐの付け根に１対（２本）の通電加熱脚２１，２２と１対（２本）の支え脚２３，２４とを有している。脚２１〜２４を図中の破線箇所で９０°に折り曲げて、脚２１，２２から通電することで、電子線出射面Ｐを加熱し、電子線出射面Ｐから熱電子を放出させる。電子線出射面Ｐから放出された熱電子（図２の電子線Ｂを参照）が、陽極１２（図２を参照）に衝突することで、Ｘ線（図２では「Ｘｒａｙ」で表記）を発生する。
【００２１】
このように、通電加熱脚２１，２２は、通電経路を有する電子出射面Ｐの両端に電気的に接続されている端部端子である。また、通電加熱脚２１に近い順に、支え脚２３，支え脚２４とする。したがって、支え脚２３，２４は、電子出射面Ｐの通電経路の途中で分岐する２つの分岐端子となる。通電加熱脚２１は、この発明における第１通電加熱脚に相当し、通電加熱脚２２は、この発明における第２通電加熱脚に相当する。また、支え脚２３，２４は、この発明における分岐端子に相当し、支え脚２３は、この発明における第１分岐端子に相当し、支え脚２４は、この発明における第２分岐端子に相当する。
【００２２】
また、本実施例１では、図３や図６に示すように、通電加熱脚２１と当該通電加熱脚２１から通常時の通電経路上最も遠い支え脚２４とを通電経路の外部でリレー３３Ａを用いて短絡状態または開放状態に切り替えるように構成している。また、通電加熱脚２２と当該通電加熱脚２２から通常時の通電経路上最も遠い支え脚２３とを通電経路の外部でリレー３３Ｂを用いて短絡状態または開放状態に切り替えるように構成している。
【００２３】
また、図２に示すように、収束電極２５はＸ線管用平板エミッタ２０を収納するように構成されている。収束電極２５はＸ線管用平板エミッタ２０からの焦点の大きさを制御するように構成されている。収束電極２５はバイアス電源（図示省略）に電気的に接続されており、Ｘ線管用平板エミッタ２０を基準電位とすると、収束電極２５に負のバイアス電圧を印加する。
【００２４】
通常時、すなわち電子出射面Ｐにおける通電経路が断線していないときにおいては、周辺回路３（図１を参照）は、リレー３３Ａ，３３Ｂをともに開放状態に制御し、Ｘ線管用平板エミッタ２０は通電加熱脚２１，２２から通電して、Ｘ線管用平板エミッタ２０全体を加熱して使用する。交流電源３１では交流電流を調整し、変圧器３２を介して通電加熱脚２１，２２に給電を行う。エミッタの温度分布は平面内でほぼ均一であるが、中央部分の温度が若干高い。エミッタを長時間使用した後、エミッタの蒸発が進行すると中央部分の近傍にて断線が発生することが多い。ただし、使用条件（例えば通電加熱時の電流や時間）によって、どの箇所が断線するのかが異なる可能性がある。いずれの場合においても、通電加熱脚２１，２２を流れる電流（フィラメント電流）を常時モニタリングすることで、断線の検出を容易に行うことができる。
【００２５】
図４では、概略化のために通電経路を直線で図示するとともに、通電経路の外部にあるリレー３３Ａ，３３Ｂ付きの各バイパス通電経路Ｂを通電経路の傍らに図示している。また、比較のために、図４と同様に図５では特許文献２の図８の通電経路を概略化している。図４および図５の黒丸は端部端子である通電加熱脚や分岐端子である支え脚を含んだ通電加熱用の端子を表している。
【００２６】
本実施例１では、図４に示すように、リレー３３Ａを用いて短絡することにより通電加熱脚２１と支え脚２４との間にバイパス通電経路Ｂを形成するとともに、リレー３３Ｂを用いて短絡することにより通電加熱脚２２と支え脚２３との間にバイパス通電経路Ｂを形成する。これにより、通電加熱脚２１・２２間の通電経路において、全ての箇所においてバイパス通電経路Ｂが必ず存在することになる。その結果、どの箇所が断線した場合でも、断線箇所に該当するリレーを用いて短絡することによりバイパス通電経路Ｂを介して通電経路を確保することができる。
【００２７】
これに対して、特許文献２の図８の構造の場合には、図５に示すように、リレー１３３Ａを用いて短絡することにより通電加熱脚１２１と当該通電加熱脚１２１から通常時の通電経路上最も近い支え脚１２３との間にバイパス通電経路Ｂ´を形成するとともに、リレー１３３Ｂを用いて短絡することにより通電加熱脚１２２と当該通電加熱脚１２２から通常時の通電経路上最も近い支え脚１２４との間にバイパス通電経路Ｂ´を形成している。したがって、支え脚１２３・１２４間における中心部ではバイパス通電経路Ｂ´を有さない。その結果、支え脚１２３・１２４間における中心部が断線した場合には、通電経路を形成することができない。
【００２８】
具体的な本実施例１でのダブルエミッタの断線時について、図６（ａ）〜図６（ｃ）を参照して説明する。図６（ａ）〜図６（ｃ）の太線はバイパス通電経路Ｂ（図４を参照）を含んだ断線時における通電経路を表している。例えば、図６（ａ）に示すように、中心部が断線した場合でも、リレー３３Ａを用いて短絡することで、通電経路を確保し、部分的にエミッタを点灯することができる。
【００２９】
図６（ｂ）に示すように、通電加熱脚２２・支え脚２４間における外周部が断線した場合でも、リレー３３Ｂを用いて短絡することで、通電経路を確保し、部分的にエミッタを点灯することができる。なお、図６（ａ）に示すような中心部が断線した場合には、図６（ａ）に示すようにリレー３３Ａを用いて短絡せずとも、図６（ｃ）に示すようにリレー３３Ｂを用いて短絡してもよい。
【００３０】
図示しないが、同様に、通電加熱脚２１・支え脚２３間における外周部が断線した場合でも、リレー３３Ａを用いて短絡することで、通電経路を確保し、部分的にエミッタを点灯することができる。以上をまとめると、周辺回路３（図１を参照）は、電子出射面Ｐにおける通電経路のいずれかの箇所が断線しているとき、第１切替部に相当するリレー３３Ａを短絡状態かつ第２切替部に相当するリレー３３Ｂを開放状態に制御して、第２分岐端子に相当する支え脚２４と第２通電加熱脚に相当する通電加熱脚２２とを結ぶ経路のみを通電経路として使用する（図６（ａ）を参照）。あるいは、周辺回路３は、第１切替部に相当するリレー３３Ａを開放状態かつ第２切替部に相当するリレー３３Ｂを短絡状態に制御して、通電経路のうちの第１分岐端子に相当する支え脚２３と第１通電加熱脚に相当する通電加熱脚２１とを結ぶ経路のみを通電経路として使用する（図６（ｂ）や図６（ｃ）を参照）。
【００３１】
このとき、断線時の点灯範囲は通常時の点灯範囲（Ｘ線管用平板エミッタ２０の全面）よりも狭くなる。よって、断線時の部分的な領域からのみの電子で焦点を形成するので、通常時の焦点サイズよりも断線時の焦点サイズの方が大きくなる。よって、Ｘ線画像の画質に影響するが、緊急時（例えば臨床中）の透視を行える状態を確保することはできる。
【００３２】
より好ましくは、収束電極２５に（例えば−数１００Ｖ程度の）負のバイアス電圧を印加する。このように収束電極２５に印加するバイアス電圧によってＸ線管用平板エミッタ２０からの電子を収束する。これによって、焦点サイズを比較的小さくすることができる。
【００３３】
なお、通電加熱脚２１，２２を流れる電流（フィラメント電流）を常時モニタリングすることで、断線の検出を容易に行うことができるが、どの箇所で断線したのかを特定するのは難しい。したがって、断線した場合には、あるリレーを短絡してそれでもフィラメント電流が検出できないときには、短絡した当該リレーを開放かつ別のリレーを短絡するように周辺回路３は自動的に制御すればよい。また、エミッタの設計条件や上述したような使用条件で、断線箇所をある程度に推定することができるので、断線した場合には推定された断線箇所に該当するリレーを先ず短絡してそれでもフィラメント電流が検出できないときには、短絡した当該リレーを開放かつ別のリレーを短絡するように周辺回路３は自動的に制御してもよい。
【００３４】
本実施例１に係るＸ線管用平板エミッタ２０によれば、通電経路を有する電子出射面Ｐと、電子出射面Ｐの両端に電気的に接続されている第１通電加熱脚（図３や図６では通電加熱脚２１）および第２通電加熱脚（図３や図６では通電加熱脚２２）と、電子出射面Ｐの通電経路の途中で分岐する２つの分岐端子を、第１通電加熱脚（通電加熱脚２１）と第２通電加熱脚（通電加熱脚２２）との間に、第１通電加熱脚（通電加熱脚２１）に近い順に、第１分岐端子（図３や図６では支え脚２３），第２分岐端子（図３や図６では支え脚２４）として備えている。さらに、第１通電加熱脚（通電加熱脚２１）と第２分岐端子（支え脚２４）とを、短絡状態または開放状態に切り替える第１切替部（図３や図６ではリレー３３Ａ）と、第２通電加熱脚（通電加熱脚２２）と第１分岐端子（支え脚２３）とを、短絡状態または開放状態に切り替える第２切替部（図３や図６ではリレー３３Ｂ）とを備えている。これら第１切替部（リレー３３Ａ）および第２切替部（リレー３３Ｂ）を備えることで、短絡状態に切り替えられた箇所においてバイパス通電経路Ｂ（図４を参照）が形成され、第１通電加熱脚（通電加熱脚２１）と第２通電加熱脚（通電加熱脚２２）との間の通電経路において、全ての箇所において当該バイパス通電経路Ｂが必ず存在することになる。このように第１通電加熱脚（通電加熱脚２１）と第２通電加熱脚（通電加熱脚２２）との間の通電経路において、短絡状態に切り替えられて形成されたバイパス通電経路Ｂが全ての箇所において必ず存在するので、どの箇所が断線した場合でも通電経路を確保し、エミッタ（Ｘ線管用平板エミッタ２０）を点灯することができる。
【００３５】
本実施例１では、分岐端子（支え脚２３，２４）を１対備えたダブルエミッタに適用している。すなわち、図３に示すように、通電加熱脚２１と当該通電加熱脚２１から通常時における通電経路上最も遠い第２分岐端子（支え脚２４）とを通電経路の外部でリレー３３Ａにて短絡状態または開放状態に切り替える。また、通電加熱脚２２と当該通電加熱脚２２から通常時における通電経路上最も遠い第１分岐端子（支え脚２３）とを通電経路の外部でリレー３３Ｂにて短絡状態または開放状態に切り替える。これによって、本実施例１のようにダブルエミッタに適用したときにおいて、どの箇所が断線した場合でも通電経路を確保し、ダブルエミッタを点灯することができる。
【００３６】
後述する実施例２，３も含めて、本実施例１では、かかるエミッタをＸ線管装置１に用いる。さらに、切替制御部（図１では周辺回路３）は、電子出射面Ｐにおける通電経路のいずれかの箇所が断線しているとき、第１切替部（図３や図６ではリレー３３Ａ）を短絡状態かつ第２切替部（図３や図６ではリレー３３Ｂ）を開放状態に制御して、第２分岐端子（図３や図６では支え脚２４）と第２通電加熱脚（図３や図６では通電加熱脚２２）とを結ぶ経路のみを通電経路として使用する、あるいは、第１切替部（リレー３３Ａ）を開放状態かつ第２切替部（リレー３３Ｂ）を短絡状態に制御して、通電経路のうちの第１分岐端子（図３や図６では支え脚２３）と第１通電加熱脚（図３や図６では通電加熱脚２１）とを結ぶ経路のみを通電経路として使用する。このように通電経路を使用することで、緊急時（例えば臨床中）でもエミッタを点灯することができるとともに、Ｘ線管装置１からＸ線を照射することができる。
【実施例２】
【００３７】
次に、図面を参照してこの発明の実施例２を説明する。
図７（ａ）〜図７（ｃ）は、実施例２に係るＸ線管用平板エミッタ（トリプルエミッタ）の断線時における通電経路の概略図であり、図８は、実施例２に係るＸ線管用平板エミッタ（トリプルエミッタ）の通電経路およびバイパス通電経路を概略化した説明図である。上述した実施例１と共通する構成については、同じ符号を付して、その説明を省略する。上述した実施例１と同じ図２に示すＸ線管装置を用いてＸ線を照射し、上述した実施例１と同じ図１に示すＸ線装置を用いてＸ線画像を出力する。
【００３８】
上述した実施例１では、分岐端子（支え脚２３，２４）を１対備えたダブルエミッタに適用したが、後述する実施例３も含めて、本実施例２では、分岐端子を２対備えたトリプルエミッタに適用する。具体的には、上述した実施例１と同様に、本実施例２では、Ｘ線管用平板エミッタ２０は、図７に示すように円形の形状を有している。そして、本実施例２では、円形の電子出射面Ｐの付け根に１対（２本）の通電加熱脚２１，２２と、支え脚２３，２４を含めた２対（４本）の支え脚とを有している。なお、本実施例２では、短絡または開放する対象の分岐端子に相当する支え脚の符号を２３，２４とする。
【００３９】
また、本実施例２では、図７に示すように、通電加熱脚２１と当該通電加熱脚２１から通常時の通電経路上最も遠い支え脚２４とを通電経路の外部でリレー３３Ａを用いて短絡状態または開放状態に切り替えるように構成している。また、通電加熱脚２２と当該通電加熱脚２２から通常時の通電経路上最も遠い支え脚２３とを通電経路の外部でリレー３３Ｂを用いて短絡状態または開放状態に切り替えるように構成している。
【００４０】
上述した実施例１の図４と同様に、図８では、概略化のために通電経路を直線で図示するとともに、通電経路の外部にあるリレー３３Ａ，３３Ｂ付きの各バイパス通電経路Ｂを通電経路の傍らに図示している。図８の黒丸は端部端子である通電加熱脚や分岐端子である支え脚を含んだ通電加熱用の端子を表している。
【００４１】
本実施例２では、図８に示すように、リレー３３Ａを用いて短絡することにより通電加熱脚２１と当該通電加熱脚２１から通常時の通電経路上最も遠い支え脚２４との間にバイパス通電経路Ｂを形成するとともに、リレー３３Ｂを用いて短絡することにより通電加熱脚２２と当該通電加熱脚２２から通常時の通電経路上最も遠い支え脚２３との間にバイパス通電経路Ｂを形成する。これにより、通電加熱脚２１・２２間の通電経路において、全ての箇所においてバイパス通電経路Ｂが必ず存在することになる。その結果、どの箇所が断線した場合でも、断線箇所に該当するリレーを用いて短絡することによりバイパス通電経路Ｂを介して通電経路を確保することができる。
【００４２】
具体的な本実施例２でのトリプルエミッタの断線時について、図７（ａ）〜図７（ｃ）を参照して説明する。図１９や図２１や上述した実施例１の図６と同様に、図７（ａ）〜図７（ｃ）の太線はバイパス通電経路Ｂ（図８を参照）を含んだ断線時における通電経路を表している。例えば、図７（ａ）に示すように、通電加熱脚２１・支え脚２３間における最外周部が断線した場合でも、リレー３３Ａを用いて短絡することで、通電経路を確保し、部分的にエミッタを点灯することができる。
【００４３】
図７（ｂ）に示すように、支え脚２３に近く内側に近い外周部が断線した場合でも、例えばリレー３３Ｂを用いて短絡することで、通電経路を確保し、部分的にエミッタを点灯することができる。また、図７（ｃ）に示すように、中心部が断線した場合でも、例えばリレー３３Ｂを用いて短絡することで、通電経路を確保し、部分的にエミッタを点灯することができる。通電加熱脚２２・支え脚２４間における最外周以外が断線した場合には、図７（ｂ）や図７（ｃ）に示すようにリレー３３Ｂを用いて短絡せずとも、リレー３３Ａを用いて短絡してもよい。
【００４４】
つまり、通電加熱脚２１・支え脚２３間における最外周部が断線した場合にはリレー３３Ａを用いて短絡し、通電加熱脚２２・支え脚２４間における最外周が断線した場合にはリレー３３Ｂを用いて短絡し、それ以外の箇所が断線した場合にはリレー３３Ａ，３３Ｂのいずれか一方を用いて短絡すればよい。以上をまとめると、上述した実施例１と同様に本実施例２では、周辺回路３（図１を参照）は、電子出射面Ｐにおける通電経路のいずれかの箇所が断線しているとき、第１切替部に相当するリレー３３Ａを短絡状態かつ第２切替部に相当するリレー３３Ｂを開放状態に制御して、第２分岐端子に相当する支え脚２４と第２通電加熱脚に相当する通電加熱脚２２とを結ぶ経路のみを通電経路として使用する（図７（ａ）を参照）。あるいは、周辺回路３は、第１切替部に相当するリレー３３Ａを開放状態かつ第２切替部に相当するリレー３３Ｂを短絡状態に制御して、通電経路のうちの第１分岐端子に相当する支え脚２３と第１通電加熱脚に相当する通電加熱脚２１とを結ぶ経路のみを通電経路として使用する（図７（ｂ）や図７（ｃ）を参照）。
【００４５】
本実施例２に係るＸ線管用平板エミッタ２０によれば、通電経路を有する電子出射面Ｐと、電子出射面Ｐの両端に電気的に接続されている第１通電加熱脚（図７では通電加熱脚２１）および第２通電加熱脚（図７では通電加熱脚２２）と、電子出射面Ｐの通電経路の途中で分岐する分岐端子（図７では支え脚２３，２４を含めた支え脚）として２対備えている。実際には、２対（４本）の支え脚は分岐端子として使用可能であるが、本実施例２では、４本の支え脚のうち、通電加熱脚２１に最も近い支え脚２３を第１分岐端子として使用し、通電加熱脚２１から最も遠い支え脚２４を第２分岐端子として使用している。さらに、第１通電加熱脚（通電加熱脚２１）と第２分岐端子（支え脚２４）とを、短絡状態または開放状態に切り替える第１切替部（図７ではリレー３３Ａ）と、第２通電加熱脚（通電加熱脚２２）と第１分岐端子（支え脚２３）とを、短絡状態または開放状態に切り替える第２切替部（図７ではリレー３３Ｂ）とを備えている。これら第１切替部（リレー３３Ａ）および第２切替部（リレー３３Ｂ）を備えることで、短絡状態に切り替えられた箇所においてバイパス通電経路Ｂ（図８を参照）が形成され、第１通電加熱脚（通電加熱脚２１）と第２通電加熱脚（通電加熱脚２２）との間の通電経路において、全ての箇所において当該バイパス通電経路Ｂが必ず存在することになる。このように第１通電加熱脚（通電加熱脚２１）と第２通電加熱脚（通電加熱脚２２）との間の通電経路において、短絡状態に切り替えられて形成されたバイパス通電経路Ｂが全ての箇所において必ず存在するので、どの箇所が断線した場合でも通電経路を確保し、エミッタ（Ｘ線管用平板エミッタ２０）を点灯することができる。
【００４６】
本実施例２では、分岐端子（支え脚２３，２４を含めた支え脚）を２対備えたトリプルエミッタに適用している。すなわち、図７に示すように、通電加熱脚２１と通電加熱脚２１から通常時における通電経路上最も遠い第２分岐端子（支え脚２４）とを通電経路の外部でリレー３３Ａにて短絡状態または開放状態に切り替える。また、通電加熱脚２２と通電加熱脚２２から通常時における通電経路上最も遠い第１分岐端子（支え脚２３）とを通電経路の外部でリレー３３Ｂにて短絡状態または開放状態に切り替える。これによって、本実施例２のようにトリプルエミッタに適用したときにおいて、どの箇所が断線した場合でも通電経路を確保し、トリプルエミッタを点灯することができる。
【実施例３】
【００４７】
次に、図面を参照してこの発明の実施例３を説明する。
図９（ａ）〜図９（ｃ）は、実施例３に係るＸ線管用平板エミッタ（トリプルエミッタ）の断線時における通電経路の概略図であり、図１０は、実施例３に係るＸ線管用平板エミッタ（トリプルエミッタ）の通電経路およびバイパス通電経路を概略化した説明図である。上述した実施例１，２と共通する構成については、同じ符号を付して、その説明を省略する。上述した実施例１，２と同じ図２に示すＸ線管装置を用いてＸ線を照射し、上述した実施例１，２と同じ図１に示すＸ線装置を用いてＸ線画像を出力する。
【００４８】
上述した実施例１では、分岐端子（支え脚２３，２４）を１対備えたダブルエミッタに適用したが、上述した実施例２と同様に本実施例３では、分岐端子を２対備えたトリプルエミッタに適用する。具体的には、上述した実施例１，２と同様に、本実施例３では、Ｘ線管用平板エミッタ２０は、図９に示すように円形の形状を有している。そして、上述した実施例２と同様に本実施例３では、円形の電子出射面Ｐの付け根に１対（２本）の通電加熱脚２１，２２と、支え脚２３，２４を含めた２対（４本）の支え脚とを有している。なお、上述した実施例２と同様に本実施例３では、短絡または開放する対象の分岐端子に相当する支え脚の符号を２３，２４とする。
【００４９】
また、上述した実施例２では、図７に示すように、通電加熱脚２１と当該通電加熱脚２１から通常時の通電経路上最も遠い支え脚２４とを通電経路の外部でリレー３３Ａを用いて短絡状態または開放状態に切り替えるとともに、通電加熱脚２２と当該通電加熱脚２２から通常時の通電経路上最も遠い支え脚２３とを通電経路の外部でリレー３３Ｂを用いて短絡状態または開放状態に切り替えるようにしていた。これに対して、本実施例３では、通電加熱脚２１と当該通電加熱脚２１から通常時の通電経路上２番目に遠い支え脚２４とを通電経路の外部でリレー３３Ａを用いて短絡するように構成している。また、通電加熱脚２２と当該通電加熱脚２２から通常時の通電経路上２番目に遠い支え脚２３とを外部でリレー３３Ｂを用いて短絡状態または開放状態に切り替えるように構成している。
【００５０】
上述した実施例１の図４や上述した実施例２の図８と同様に、図１０では、概略化のために通電経路を直線で図示するとともに、通電経路の外部にあるリレー３３Ａ，３３Ｂ付きの各バイパス通電経路Ｂを通電経路の傍らに図示している。図１０の黒丸は端部端子である通電加熱脚や分岐端子である支え脚を含んだ通電加熱用の端子を表している。
【００５１】
本実施例３では、図１０に示すように、リレー３３Ａを用いて短絡することにより通電加熱脚２１と当該通電加熱脚２１から通常時の通電経路上２番目に遠い支え脚２４との間にバイパス通電経路Ｂを形成するとともに、リレー３３Ｂを用いて短絡することにより通電加熱脚２２と当該通電加熱脚２２から通常時の通電経路上２番目に遠い支え脚２３との間にバイパス通電経路Ｂを形成する。これにより、通電加熱脚２１・２２間の通電経路において、全ての箇所においてバイパス通電経路Ｂが必ず存在することになる。その結果、どの箇所が断線した場合でも、断線箇所に該当するリレーを用いて短絡することによりバイパス通電経路Ｂを介して通電経路を確保することができる。さらに、上述した実施例２の図８と比較すると、バイパス通電経路Ｂを除く通電経路を長く確保した分、点灯可能なエミッタ出射面の面積を広くすることができる。
【００５２】
具体的な本実施例３でのトリプルエミッタの断線時について、図９（ａ）〜図９（ｃ）を参照して説明する。図１８や図１９や図２０や図２１や上述した実施例１の図６や上述した実施例２の図７と同様に、図９（ａ）〜図９（ｃ）の太線はバイパス通電経路Ｂ（図１０を参照）を含んだ断線時における通電経路を表している。例えば、図９（ａ）に示すように、通電加熱脚２１・支え脚２３間における最外周部が断線した場合でも、リレー３３Ａを用いて短絡することで、通電経路を確保し、部分的にエミッタを点灯することができる。
【００５３】
図９（ｂ）に示すように、通電加熱脚２１・支え脚２３間における内側に近い外周部が断線した場合でも、リレー３３Ａを用いて短絡することで、通電経路を確保し、部分的にエミッタを点灯することができる。また、図９（ｃ）に示すように、中心部が断線した場合でも、例えばリレー３３Ｂを用いて短絡することで、通電経路を確保し、部分的にエミッタを点灯することができる。図９（ｃ）に示すような中心部が断線した場合には、図９（ｃ）に示すようにリレー３３Ｂを用いて短絡せずとも、リレー３３Ａを用いて短絡してもよい。本実施例３のトリプルエミッタの場合には、上述した実施例２の図７と比較すると、図９からも、断線時に点灯可能なエミッタ出射面の面積が広くなることが確認される。
【００５４】
本実施例３に係るＸ線管用平板エミッタ２０の主たる作用・効果については、上述した実施例２と同じであるので、説明を省略する。ただし、上述した実施例２では、４本の支え脚のうち、通電加熱脚２１に最も近い支え脚２３を第１分岐端子として使用し、通電加熱脚２１から最も遠い支え脚２４を第２分岐端子として使用していた。これに対して、本実施例３では、４本の支え脚のうち、通電加熱脚２１に２番目に近い支え脚２３を第１分岐端子として使用し、通電加熱脚２１から２番目に遠い支え脚２４を第２分岐端子として使用している。
【００５５】
本実施例３では、上述した実施例２と同様に、分岐端子（支え脚２３，２４を含めた支え脚）を２対備えたトリプルエミッタに適用している。すなわち、図９に示すように、通電加熱脚２１と当通電加熱脚２１から通常時における通電経路上２番目に遠い第２分岐端子（支え脚２４）とを通電経路の外部でリレー３３Ａにて短絡状態または開放状態に切り替える。また、通電加熱脚２２と通電加熱脚２２から通常時における通電経路上２番目に遠い第１分岐端子（支え脚２３）とを通電経路の外部でリレー３３Ｂにて短絡状態または開放状態に切り替える。これによって、本実施例３のようにトリプルエミッタに適用したときにおいて、どの箇所が断線した場合でも通電経路を確保し、トリプルエミッタを点灯することができる。さらに、上述した実施例２と比較すると、点灯可能なエミッタ出射面の面積を広くすることができる。
【００５６】
この発明は、上記実施形態に限られることはなく、下記のように変形実施することができる。
【００５７】
（１）エミッタを備えるＸ線管装置の具体的な構成については特に限定されない。例えば、陽極がそれを収容する外囲器と一体となって回転する外囲器回転型医用Ｘ線管や、それ以外の医用Ｘ線管や、工業用Ｘ線管に適用することができる。
【００５８】
（２）上述した各実施例では、Ｘ線管装置に適用したが、Ｘ線を発生せずに電子線を出射する電子源に適用してもよい。例えば、電子線マイクロアナライザに本発明のエミッタを用いてもよい。
【００５９】
（３）Ｘ線装置は、被検体を診断する医用Ｘ線装置であってもよいし、非破壊検査装置に用いられる工業用Ｘ線装置であってもよい。
【００６０】
（４）上述した各実施例では、平板エミッタを例に採って説明したが、必ずしも電子線出射面が平板状である必要はない。ただし、平板状の電子線出射面を有した平板エミッタの方が、平板エミッタを水平面に固定することができ、焦点を精度良く制御することができる。また、通電加熱用の分岐端子は、９０°に折り曲げた脚部であったが、必ずしも脚部に限定されない。例えば、エミッタを保持する脚とは別に通電加熱用の分岐端子を設けてもよい。
【００６１】
（５）上述した各実施例では、エミッタは、図３や図６や図７や図９に示すように円形の形状を有していたが、円形に限定されない。例えば、図１１に示すように長方形の形状を有したエミッタ（図１１ではダブルエミッタからなるＸ線管用平板エミッタ２０）においても同様に適用することができる。また、上述した実施例２，３と同様にトリプルエミッタで、かつ長方形の形状を有した構造や、後述する変形例（６）のように分岐端子を３対以上備えたエミッタで、かつ長方形の形状を有した構造に適用してもよい。
【００６２】
（６）上述した実施例１では、ダブルエミッタに適用し、上述した実施例２，３では、トリプルエミッタに適用したが、分岐端子を３対以上備えたエミッタに適用してもよい。
【００６３】
（７）上述した各実施例では、図３や図６や図７や図９に示す支え脚は断線時の通電加熱用の分岐端子のみに用いられていたが、図１２のように電子出射面Ｐの全面よりも狭い領域のみを点灯する半灯通電加熱脚を兼用してもよい。具体的には、図１２に示すように、全灯通電加熱・半灯通電加熱の切り換えのための切り換え用リレー（図１２では全灯通電加熱用のリレー３４Ａ，半灯通電加熱用のリレー３４Ｂ）と、半灯通電加熱用の交流電源３５および当該交流電源３５に結合された変圧器（トランス）３６とを設ける。各実施例と同様のリレー３３Ａ，３３Ｂの他に、リレー３３Ａ側にリレー３３Ｃを設けるとともに、リレー３３Ｂ側にリレー３３Ｄを設ける。電子出射面Ｐの全面を点灯するには、リレー３４Ａのみを用いて短絡し、残りのリレーを開放することで、通電加熱脚２１→支え脚２３→支え脚２４→通電加熱脚２２の経路で通電加熱する。電子出射面Ｐの全面よりも狭い領域のみを点灯するには、リレー３４Ｂおよびリレー３３Ａ，３３Ｂを用いて短絡し、残りのリレーを開放することで、図１２の太線に示すように、リレー３３Ａ→支え脚２４→支え脚２３→リレー３３Ｂの経路で通電加熱する。中心部が断線した場合には、リレー３４Ａを用いて短絡した状態で、例えばリレー３３Ａ，３３Ｃを用いて短絡する、あるいは例えばリレー３３Ｂ，３３Ｄを用いて短絡する。通電加熱脚２１・支え脚２３間における外周部が断線した場合には、リレー３４Ａを用いて短絡した状態で、リレー３３Ａ，３３Ｃを用いて短絡する。通電加熱脚２２・支え脚２４間における外周部が断線した場合には、リレー３４Ａを用いて短絡した状態で、リレー３３Ｂ，３３Ｄを用いて短絡する。図１２は円形の形状の場合であるが、長方形の形状を有した場合についても同様である。なお、上述した実施例２，３のようにトリプルエミッタや、上述した変形例（６）のように分岐端子を３対以上備えたエミッタにおいても、同様に適用することができる。
【００６４】
（８）上述した変形例（６）のように分岐端子を３対以上備えたエミッタでは、図１３（ａ）や図１３（ｂ）に示すように、バイパス通電経路Ｂを有するように構成すればよい。上述した実施例１の図４や上述した実施例２の図８や上述した実施例３の図１０と同様に、図１３では、概略化のために通電経路を直線で図示するとともに、通電経路の外部にあるリレー３３Ａ，３３Ｂ付きの各バイパス通電経路Ｂを通電経路の傍らに図示している。図１３の黒丸は端部端子である通電加熱脚や分岐端子である支え脚を含んだ通電加熱用の端子を表している。また、図１３（ａ）では、短絡または開放する対象の分岐端子に相当する支え脚２３，２４を、通電経路の順に通電加熱脚２１，支え脚２３，支え脚２４，通電加熱脚２２と並べる。図１３（ａ）に示すように、リレー３３Ａを用いて短絡することにより通電加熱脚２１と支え脚２４との間にバイパス通電経路Ｂを形成するとともに、リレー３３Ｂを用いて短絡することにより通電加熱脚２２と遠い支え脚２３との間にバイパス通電経路Ｂを形成してもよい。
【００６５】
また、ｎを３以上の整数として、電子出射面の通電経路の途中で分岐するｎ個の分岐端子を、第１通電加熱脚（通電加熱脚２１）と第２通電加熱脚（通電加熱脚２２）との間に、図１３（ｂ）に示すように、第１通電加熱脚（通電加熱脚２１）に近い順に、第１分岐端子（支え脚２５１），第２分岐端子（支え脚２５２），第３分岐端子（支え脚２５３），…第（ｎ−２）分岐端子（支え脚２５ｎ−２），第（ｎ−１）分岐端子（支え脚２５ｎ−１），第ｎ分岐端子（支え脚２５ｎ）として備えている。さらに、第１通電加熱脚（通電加熱脚２１）と第２分岐端子（支え脚２５２）とを、短絡状態または開放状態に切り替える第１切替部（リレー３３Ｃ１）第１分岐端子（支え脚２５１）と第３分岐端子（支え脚２５３）とを、短絡状態または開放状態に切り替える第２切替部（リレー３３Ｃ２），…，第（ｎ−２）分岐端子（支え脚２５ｎ−２）と第ｎ分岐端子（支え脚２５ｎ）とを、短絡状態または開放状態に切り替える第（ｎ−１）切替部（リレー３３Ｃｎ−１），第（ｎ−１）分岐端子（支え脚２５ｎ−１）と第２通電加熱脚（通電加熱脚２２）とを、短絡状態または開放状態に切り替える第ｎ切替部（リレー３３Ｃｎ）を備えている。
【００６６】
なお、第１分岐端子（支え脚２５１），第２分岐端子（支え脚２５２），第３分岐端子（支え脚２５３），…第（ｎ−２）分岐端子（支え脚２５ｎ−２），第（ｎ−１）分岐端子（支え脚２５ｎ−１），第ｎ分岐端子（支え脚２５ｎ）は、図１３（ｂ）のように互いに隣接する場合のみならず、単数または複数の分岐端子が間に離間する場合も含まれる。
【００６７】
図１３（ｂ）に示すエミッタをＸ線管装置１（図１や図２を参照）に用いる場合、切替制御部（図１では周辺回路３）は、下記のように第１分岐端子（支え脚２５１），第２分岐端子（支え脚２５２），第３分岐端子（支え脚２５３），…第（ｎ−２）分岐端子（支え脚２５ｎ−２），第（ｎ−１）分岐端子（支え脚２５ｎ−１），第ｎ分岐端子（支え脚２５ｎ）の開放または短絡を制御する。すなわち、電子出射面Ｐにおける通電経路が断線していないとき、第１分岐端子（支え脚２５１），第２分岐端子（支え脚２５２），第３分岐端子（支え脚２５３），…第（ｎ−２）分岐端子（支え脚２５ｎ−２），第（ｎ−１）分岐端子（支え脚２５ｎ−１）および第ｎ分岐端子（支え脚２５ｎ）を開放状態に制御する。
【００６８】
電子出射面Ｐにおける通電経路のいずれかの箇所が単数または複数にわたって断線しているとき、断線した箇所に最も近い第１通電加熱脚（通電加熱脚２１），第２通電加熱脚（通電加熱脚２２）または分岐端子につながっている切替部を短絡状態かつ残りの切替部を開放状態に制御して、通電経路のうちの残りの切替部につながっている第１通電加熱脚（通電加熱脚２１），第２通電加熱脚（通電加熱脚２２）または分岐端子を結ぶ経路のみを通電経路として使用する。
【００６９】
例えば、通電加熱脚２１と支え脚２５１とを結ぶ箇所が断線しているとき、断線した箇所に最も近い切替部は第１切替部（リレー３３Ｃ１）であるので、第１切替部（リレー３３Ｃ１）を短絡状態かつ残りの切替部を開放状態に制御して、通電経路のうちの残りの切替部につながっている第２通電加熱脚（通電加熱脚２２）または分岐端子を結ぶ経路のみを通電経路として使用する。
【００７０】
例えば、支え脚２５１と支え脚２５２とを結ぶ箇所が断線しているとき、断線した箇所に最も近い切替部は、支え脚２５１につながっている第２切替部（リレー３３Ｃ２）、または支え脚２５２につながっている第１切替部（リレー３３Ｃ１）である。したがって、第２切替部（リレー３３Ｃ２）を短絡状態かつ残りの切替部を開放状態に制御して、通電経路のうちの残りの切替部につながっている第１通電加熱脚（通電加熱脚２１），第２通電加熱脚（通電加熱脚２２）または分岐端子を結ぶ経路のみを通電経路として使用する。あるいは、通電経路のうちの残りの切替部につながっている第２通電加熱脚（通電加熱脚２２）または分岐端子を結ぶ経路のみを通電経路として使用する。
【産業上の利用可能性】
【００７１】
以上のように、この発明は、Ｘ線管装置や電子源の他に、Ｘ線透視装置やＸ線撮影装置などのＸ線装置に適している。
【符号の説明】
【００７２】
１  …  Ｘ線管装置
３  …  周辺回路
２０  …  Ｘ線管用平板エミッタ
２１，２２  …  通電加熱脚
２３，２４  …  支え脚
２５１，２５２，２５３，…，２５ｎ−２，２５ｎ−１，２５ｎ  …  支え脚
３３Ａ，３３Ｂ  …  リレー
３３Ｃ１，３３Ｃ２，…，３３Ｃｎ−１，３３Ｃｎ  …  リレー
Ｐ  …  電子出射面
Ｂ  …  バイパス通電経路
【図１】
2017168215.tif 000003
【図２】
2017168215.tif 000004
【図３】
2017168215.tif 000005
【図４】
2017168215.tif 000006
【図５】
2017168215.tif 000007
【図６】
2017168215.tif 000008
【図７】
2017168215.tif 000009
【図８】
2017168215.tif 000010
【図９】
2017168215.tif 000011
【図１０】
2017168215.tif 000012
【図１１】
2017168215.tif 000013
【図１２】
2017168215.tif 000014
【図１３】
2017168215.tif 000015
【図１４】
2017168215.tif 000016
【図１５】
2017168215.tif 000017
【図１６】
2017168215.tif 000018
【図１７】
2017168215.tif 000019
【図１８】
2017168215.tif 000020
【図１９】
2017168215.tif 000021
【図２０】
2017168215.tif 000022
【図２１】
2017168215.tif 000023